(57)【特許請求の範囲】
【請求項１】
ＩＣタグホルダーが、互いに９０度の間隔で配置された板材からなる上部矢羽根部と、互いに９０度の間隔で配置されているとともに上部矢羽根部の板材とは４５度ずれて配置されている板材からなる下部矢羽根部と、上部矢羽根部の板材と下部矢羽根部の板材とを連結する捩じれ板材とを有し、ＩＣタグホルダーのパレットへの取り付けの際には、ＩＣタグホルダーを構成する捩じれ板材の先端が、上部デッキを構成する交叉梁に当接するように構成されており、また、ＩＣタグホルダーがパレットに取り付けられた際には、上部矢羽根部の板材に形成された係止突片が、上部デッキ側交叉梁領域を構成する交叉梁の下端に入り込むとともに、下部矢羽根部が、下部デッキ側交叉梁領域に嵌合し、且つ、捩じれ板材の下端が、下部デッキ側交叉梁領域を構成する交叉梁の上端に載置されるように構成されていることを特徴とするパレットへのＩＣタグホルダー取り付け機構。
【発明の詳細な説明】
【技術分野】
【０００１】
本発明は、物品の運搬、移送、保管等に使用されるパレットへのＩＣタグホルダー取り付け機構に関するものであり、ＩＣタグホルダーには、ＩＣタグが収容されており、ＩＣタグは、パレットのサイズや材質や所有者等のパレット自体に関する情報及びパレットに載置される物品の種類や個数や行き先等の物品自体に関する情報等の種々の情報が蓄積されるＩＣチップや電池やアンテナ等が収容されている。
【背景技術】
【０００２】
従来、パレットの側面部やデッキを構成する相対する桟間に吊り下げるように構成された、パレットへのＩＣタグホルダー取り付け機構が、一例として、特許文献１に開示されている。
【特許文献１】特開平９−２５４９８３号公報
【発明の開示】
【発明が解決しようとする課題】
【０００３】
従来、ＩＣタグホルダーの形状に対応して、パレットに変更を加えなければならず、既存のパレットに、ＩＣタグホルダーを取り付けることができないという問題があった。
【０００４】
また、従来、ＩＣタグホルダーが、物品が載置されるデッキ面付近や桁付近に配設されているために、物品が、金属製であったり、磁気を有する場合には、ＩＣタグが、物品に影響されて、リーダー・ライターが、ＩＣタグに蓄積された情報を的確に読み取ることができなかったり、ＩＣタグに的確な情報を記憶することができないという問題があった。
【０００５】
更に、物品が載置されていないパレットを保管する場合には、パレットを、デッキ面が水平になるように、上下方向に段積みしたり、或いは、デッキ面が垂直になるように、立てかけるように並設することが行われているが、ＩＣタグホルダーが、物品が載置されるデッキ面付近や桁付近に配設されている場合には、隣接するパレットに配設されたＩＣタグホルダー同士が、接近して位置する場合があり、従って、リーダー・ライターが、隣接するパレットに配設された各ＩＣタグに蓄積された情報を的確に読み取ることができなかったり、ＩＣタグに的確な情報を記憶することができないという問題があった。このような問題を解決するために、隣接するパレットに配設されたＩＣタグホルダー同士が、接近しないように保管するためには、作業者が、いちいち、ＩＣタグホルダーの位置を確認して、パレットを段積みしたり、立てかけなければならず、従って、パレットの保管作業の作業性が悪いという問題があった。
【０００６】
本発明の目的は、上述した従来のパレットへのＩＣタグホルダー取り付け機構が有する課題を解決することにある。
【課題を解決するための手段】
【０００７】
本発明は、上述した目的を達成するために、ＩＣタグホルダーが、互いに９０度の間隔で配置された板材からなる上部矢羽根部と、互いに９０度の間隔で配置されているとともに上部矢羽根部の板材とは４５度ずれて配置されている板材からなる下部矢羽根部と、上部矢羽根部の板材と下部矢羽根部の板材とを連結する捩じれ板材とを有し、ＩＣタグホルダーのパレットへの取り付けの際には、ＩＣタグホルダーを構成する捩じれ板材の先端が、上部デッキを構成する交叉梁に当接するように構成されており、また、ＩＣタグホルダーがパレットに取り付けられた際には、上部矢羽根部の板材に形成された係止突片が、上部デッキ側交叉梁領域を構成する交叉梁の下端に入り込むとともに、下部矢羽根部が、下部デッキ側交叉梁領域に嵌合し、且つ、捩じれ板材の下端が、下部デッキ側交叉梁領域を構成する交叉梁の上端に載置されるように構成したものである。
【発明の効果】
【０００８】
ＩＣタグホルダーが、互いに９０度の間隔で配置された板材からなる上部矢羽根部と、互いに９０度の間隔で配置されているとともに上部矢羽根部の板材とは４５度ずれて配置されている板材からなる下部矢羽根部と、上部矢羽根部の板材と下部矢羽根部の板材とを連結する捩じれ板材とを有し、ＩＣタグホルダーのパレットへの取り付けの際には、ＩＣタグホルダーを構成する捩じれ板材の先端が、上部デッキを構成する交叉梁に当接し、ＩＣタグホルダーが旋回しながら下降し、パレットに取り付けられるように構成したので、ＩＣタグホルダーが、上記の旋回方向とは逆に旋回しない限りは、ＩＣタグホルダーが、パレットから外れるようなことがなく、従って、ＩＣタグホルダーが、パレットから、不用意に外れるようなことを防止することができる。
【０００９】
ＩＣタグホルダーがパレットに取り付けられた際には、上部矢羽根部の板材に形成された係止突片が、上部デッキ側交叉梁領域を構成する交叉梁の下端に入り込むとともに、下部矢羽根部が、下部デッキ側交叉梁領域に嵌合し、且つ、捩じれ板材の下端が、下部デッキ側交叉梁領域を構成する交叉梁の上端に載置されるように構成したので、ＩＣタグホルダーが、パレットに対して、上下動や回動するようなことがなく、パレットに、安定した状態で、ＩＣタグホルダーを取り付けることができ、従って、ＩＣタグホルダーに収容されたＩＣタグのＩＣチップに蓄積された情報の読み取りやＩＣチップへの情報の書き込みに、ミスが生じるようなことを防止することができる。
【００１０】
交叉梁からなる上部デッキ側交叉梁領域と交叉梁からなる下部デッキ側交叉梁領域とが形成されているパレットにであれば、パレットに、何ら、加工を施すようなことなく、既存のパレットに、ＩＣタグホルダーを取り付けることができる。
【００１１】
ＩＣタグホルダーを、パレットの上部デッキと下部デッキの間の上下方向中央に配置するように構成したので、パレットに載置される物品が、金属製であったり、磁気を有する場合であっても、ＩＣタグホルダーが上部デッキや下部デッキに配設された場合に較べて、ＩＣタグホルダーが、物品から離れた位置にあるので、ＩＣタグが、パレットに載置された物品に影響されて、ＩＣタグのＩＣチップに蓄積された情報の読み取りやＩＣチップへの情報の書き込みに、ミスが生じるようなことを防止することができる。
【実施例】
【００１２】
以下に、本発明の実施例について説明するが、本発明の趣旨を越えない限り、何ら、本実施例に限定されるものではない。
【００１３】
一例としての、図１に示されている公知の合成樹脂製パレットＰは、上部デッキ１と、下部デッキ２と、上部デッキ１と下部デッキ２を連結する桁３と、桁３間に形成されているフォーク挿入口４とから構成されている。
【００１４】
上部デッキ１の少なくとも１部領域には、略直交するように互いに交叉する交叉梁１ａ、１ｂにより構成された上部デッキ側交叉梁領域１Ａが形成されており、互いに平行な一方の交叉梁１ａ、１ａ間の内幅Ｗ１と、一方の交叉梁１ａ、１ａに直交するとともに、互いに平行なもう一方の交叉梁１ｂ、１ｂ間の内幅Ｗ２とは、略同じ幅に形成されている。同様に、下部デッキ２の少なくとも１部領域には、略直交するように互いに交叉する交叉梁２ａ、２ｂにより構成された下部デッキ側交叉梁領域２Ａが形成されており、互いに平行な一方の交叉梁２ａ、２ａ間の内幅Ｗ３と、一方の交叉梁２ａ、２ａに直交するとともに、互いに平行なもう一方の交叉梁２ｂ、２ｂ間の内幅Ｗ４とは、略同じ幅に形成されている。また、上部デッキ側交叉梁領域１Ａを構成する交叉梁１ａ、１ｂと下部デッキ側交叉梁領域２Ａを構成する交叉梁２ａ、２ｂとは、平面的に見て、互いに、重なるように形成されている。
【００１５】
本実施例においては、上部デッキ側交叉梁領域１Ａを構成する互いに平行な一方の交叉梁１ａ、１ａ間の内幅Ｗ１と互いに平行なもう一方の交叉梁１ｂ、１ｂ間の内幅Ｗ２とは、略同じ幅に形成されているので、相対する交叉梁１ａ、１ａと相対する交叉梁１ｂ、１ｂとにより囲まれた領域は、平面的に見て、正方形領域として形成されており、同様に、下部デッキ側交叉梁領域２Ａを構成する互いに平行な一方の交叉梁２ａ、２ａ間の内幅Ｗ３と互いに平行なもう一方の交叉梁２ｂ、２ｂ間の内幅Ｗ４とは、略同じ幅に形成されているので、相対する交叉梁２ａ、２ａと相対する交叉梁２ｂ、２ｂとにより囲まれた領域は、平面的に見て、正方形領域として形成されている。従って、上部デッキ側交叉梁領域１Ａを構成する相対する交叉梁１ａ、１ａと相対する交叉梁１ｂ、１ｂとにより囲まれた正方形領域の２本の対角線の長さＷ５は、共に同じ長さであり、同様に、下部デッキ側交叉梁領域２Ａを構成する相対する交叉梁２ａ、２ａと相対する交叉梁２ｂ、２ｂとにより囲まれた正方形領域の２本の対角線の長さＷ６は、共に同じ長さであり、更に、上部デッキ側交叉梁領域１Ａを構成する相対する交叉梁１ａ、１ａと相対する交叉梁１ｂ、１ｂとにより囲まれた正方形領域の対角線の長さＷ５と、下部デッキ側交叉梁領域２Ａを構成する相対する交叉梁２ａ、２ａと相対する交叉梁２ｂ、２ｂとにより囲まれた正方形領域の対角線の長さＷ６とは、同じ長さに形成されている。
【００１６】
次に、図３〜図７を用いて、合成樹脂製パレットＰに取り付けられるＩＣタグホルダーＣ１について説明する。
【００１７】
ＩＣタグホルダーＣ１は、一方の垂直端が連接された４枚の横長の板材５ａ、５ｂ、５ｃ、５ｄが、平面的に、互いに９０度の間隔で配置された上部矢羽根部５と、一方の垂直端が連接された４枚の横長の板材６ａ、６ｂ、６ｃ、６ｄが、平面的に、互いに９０度の間隔で配置された下部矢羽根部６とを有しており、上部矢羽根部５の垂直中心線Ｙ１と下部矢羽根部６の垂直中心線Ｙ２とは、平面的に見て、一致するように構成されている。
【００１８】
上部矢羽根部５を構成する板材５ａと該板材５ａと対向するように、該板材５ａに対して１８０度の位置にある板材５ｃは、あたかも、一枚の平板のように形成されており、同様に、上部矢羽根部５を構成する板材５ｂと該板材５ｂと対向するように、該板材５ｂに対して１８０度の位置にある板材５ｄは、あたかも、一枚の平板のように形成されている。上部矢羽根部５を構成する板材５ａ、５ｂ、５ｃ、５ｄの長さ（板材５ａ、５ｂ、５ｃ、５ｄの垂直先端５ａ１、５ｂ１、５ｃ１、５ｄ１から垂直中心線Ｙ１までの距離）Ｌ１は、同一に形成されており、板材５ａ、５ｂ、５ｃ、５ｄの長さＬ１は、上部デッキ側交叉梁領域１Ａを構成する相対する交叉梁１ａ、１ａと相対する交叉梁１ｂ、１ｂとにより囲まれた正方形領域の２本の対角線の長さＷ５の半分の長さより短く形成されている。換言すれば、面一に形成された２枚の相対する板材５ａ、５ｃの垂直端５ａ１、５ｃ１間の間隔（板材５ａ、５ｂ、５ｃ、５ｄの長さＬ１の２倍）及び面一に形成された２枚の相対する板材５ｂ、５ｄの垂直端５ｂ１、５ｄ１間の間隔（板材５ａ、５ｂ、５ｃ、５ｄの長さＬ１の２倍）は、上記の対角線の長さＷ５より短く形成されている。
【００１９】
下部矢羽根部６を構成する板材６ａと該板材６ａと対向するように、該板材６ａに対して１８０度の位置にある板材６ｃは、あたかも、一枚の平板のように形成されており、同様に、下部矢羽根部６を構成する板材６ｂと該板材６ｂと対向するように、該板材６ｂに対して１８０度の位置にある板材６ｄは、あたかも、一枚の平板のように形成されている。下部矢羽根部６を構成する板材６ａ、６ｂ、６ｃ、６ｄの長さ（板材６ａ、６ｂ、６ｃ、６ｄの垂直先端６ａ１、６ｂ１、６ｃ１、６ｄ１から垂直中心線Ｙ２までの距離）Ｌ２は、同一に形成されており、板材６ａ、６ｂ、６ｃ、６ｄの長さＬ２は、下部デッキ側交叉梁領域２Ａを構成する互いに平行な一方の交叉梁２ａ、２ａ間の内幅Ｗ３の半分より、若干、長く形成されている。換言すれば、面一に形成された２枚の相対する板材６ａ、６ｃの垂直端６ａ１、６ｃ１間の間隔（板材６ａ、６ｂ、６ｃ、６ｄの長さＬ２の２倍）及び面一に形成された２枚の相対する板材６ｂ、６ｄの垂直端６ｂ１、６ｄ１間の間隔（板材６ａ、６ｂ、６ｃ、６ｄの長さＬ２の２倍）は、上記の内幅Ｗ３より、若干、長く形成されている。
【００２０】
また、上部矢羽根部５を構成する４枚の横長の板材５ａ、５ｂ、５ｃ、５ｄと下部矢羽根部６を構成する４枚の横長の板材６ａ、６ｂ、６ｃ、６ｄとは、平面的に見て、４５度、ずれて配置されている。換言すれば、上部矢羽根部５の９０度ずれて配置されている２枚の板材５ａ、５ｂの中間に、下部矢羽根部６を構成する板材６ａが、上記の板材５ａ、５ｂと４５度ずれて配置されており、また、上部矢羽根部５の９０度ずれて配置されている２枚の板材５ｂ、５ｃの中間に、下部矢羽根部６を構成する板材６ｂが、上記の板材５ｂ、５ｃと４５度ずれて配置されており、更に、上部矢羽根部５の９０度ずれて配置されている２枚の板材５ｃ、５ｄの中間に、下部矢羽根部６を構成する板材６ｃが、上記の板材５ｃ、５ｄと４５度ずれて配置されており、更にまた、上部矢羽根部５の９０度ずれて配置されている２枚の板材５ｄ、５ａの中間に、下部矢羽根部６を構成する板材６ｄが、上記の板材５ｄ、５ａと４５度ずれて配置されている。
【００２１】
上部矢羽根部５を構成する板材５ａの下端と該板材５ａに対して、平面的に見て、４５度ずれている下部矢羽根部６を構成する板材６ａの上端とは、捩じれ板材７ａにより連結されており、また、上部矢羽根部５を構成する板材５ｂの下端と該板材５ｂに対して、平面的に見て、４５度ずれている下部矢羽根部６を構成する板材６ｂの上端とは、捩じれ板材７ｂにより連結されており、更に、上部矢羽根部５を構成する板材５ｃの下端と該板材５ｃに対して、平面的に見て、４５度ずれている下部矢羽根部６を構成する板材６ｃの上端とは、捩じれ板材７ｃにより連結されており、更にまた、上部矢羽根部５を構成する板材５ｄの下端と該板材５ｄに対して、平面的に見て、４５度ずれている下部矢羽根部６を構成する板材６ｄの上端とは、捩じれ板材７ｄにより連結されている。
【００２２】
捩じれ板材７ａ、７ｂ、７ｃ、７ｄは、横幅が、上部矢羽根部５を構成する板材５ａ、５ｂ、５ｃ、５ｄの長さＬ１と同じである縦長の板材を、その上端に対して、下端を、４５度、捻じったような形状に形成されている。従って、相対する捩じれ板材７ａ、７ｃの側端間の距離及び相対する捩じれ板材７ｂ、７ｄの側端間の距離は、上部デッキ側交叉梁領域１Ａを構成する相対する交叉梁１ａ、１ａと相対する交叉梁１ｂ、１ｂとにより囲まれた正方形領域の２本の対角線の長さＷ５の長さと同じか、若干、短く形成されている。なお、捩じれ板材７ａ、７ｂ、７ｃ、７ｄの横幅は、下部矢羽根部６を構成する板材６ａ、６ｂ、６ｃ、６ｄの長さＬ２より長く形成されており、従って、捩じれ板材７ａ、７ｂ、７ｃ、７ｄの下端７ａ１、７ｂ１、７ｃ１、７ｄ１は、下部矢羽根部６を構成する板材６ａ、６ｂ、６ｃ、６ｄの垂直先端６ａ１、６ｂ１、６ｃ１、６ｄ１より外側に突出している。
【００２３】
上部矢羽根部５を構成する板材５ａとその上端が板材５ａの下端に連結された捩じれ板材７ａとの境付近の先端には、係止突片８ａが突設されており、また、上部矢羽根部５を構成する板材５ｂとその上端が板材５ｂの下端に連結された捩じれ板材７ｂとの境付近の先端には、係止突片８ｂが突設されており、更に、上部矢羽根部５を構成する板材５ｃとその上端が板材５ｃの下端に連結された捩じれ板材７ｃとの境付近の先端には、係止突片８ｃが突設されており、更にまた、上部矢羽根部５を構成する板材５ｄとその上端が板材５ｄの下端に連結された捩じれ板材７ｄとの境付近の先端には、係止突片８ｄが突設されている。係止突片８ａ、８ｂ、８ｃ、８ｄは、上部矢羽根部５を構成する板材５ａ、５ｂ、５ｃ、５ｄの垂直面５ａ２、５ｂ２、５ｃ２、５ｄ２に対して、傾斜して配置されている。係止突片８ａ、８ｂ、８ｃ、８ｄの先端面は、先端が略垂直な上部垂直端部８ａ１、８ｂ１、８ｃ１、８ｄ１と上部垂直端部８ａ１、８ｂ１、８ｃ１、８ｄ１の下端から捩じれ板材７ａ、７ｂ、７ｃ、７ｄの先端に向かって傾斜した下部傾斜部８ａ２、８ｂ２、８ｃ２、８ｄ２とにより形成されている。
【００２４】
また、上部矢羽根部５の板材５ａに形成された係止突片８ａの上部垂直端部８ａ１と上記の板材５ａと１８０度ずれて配置されている板材５ｃに形成された係止突片８ｃの上部垂直端部８ｃ１との距離Ｌ３、及び、上部矢羽根部５の板材５ｂに形成された係止突片８ｂの上部垂直端部８ｂ１と上記の板材５ｂと１８０度ずれて配置されている板材５ｄに形成された係止突片８ｄの上部垂直端部８ｄ１との距離Ｌ３は、上部デッキ側交叉梁領域１Ａを構成する相対する交叉梁１ａ、１ａと相対する交叉梁１ｂ、１ｂとにより囲まれた正方形領域の対角線の長さＷ５の長さＷ５と同じか、若干、短く形成されている。
【００２５】
また、係止突片８ａ、８ｂ、８ｃ、８ｄの上端８ａ３、８ｂ３、８ｃ３、８ｄ３と捩じれ板材７ａ、７ｂ、７ｃ、７ｄの下端７ａ１、７ｂ１、７ｃ１、７ｄ１との垂直距離Ｄ１は、上部デッキ１を構成する交叉梁１ａ、１ｂの下端１ａ１、１ｂ１と下部デッキ１を構成する交叉梁２ａ、２ｂの上端２ａ１、２ｂ１との垂直距離Ｄ２と同じか、若干、短く形成されている。
【００２６】
ＩＣタグホルダーＣ１の中央部には、捩じれ板材７ａ、７ｂ、７ｃ、７ｄを貫通するように、ＩＣタグ収容箱Ｂが取着されている。ＩＣタグ収容箱Ｂは、一つの側壁が開放された開口部ｂ１を有する箱型に形成されており、開口部ｂ１側に位置する天板ｂ２の先端部に、相対する側壁ｂ３に沿って、所定に間隔を置いて、一対のスリットｓ１を形成することにより、天板ｂ２の先端部には、上下方向に弾性変形可能な上部水平係止片ｂ４が形成されており、上部水平係止片ｂ４の下面の先端には係止突条ｂ４ａが垂設されている。同様に、開口部ｂ１側に位置する底板ｂ５の先端部にも、相対する側壁ｂ３に沿って、所定に間隔を置いて、一対のスリットｓ１を形成することにより、底板ｂ５の先端部には、上下方向に弾性変形可能な下部水平係止片ｂ６が形成されており、下部水平係止片ｂ６の上面の先端には係止突条ｂ６ａが立設されている。
【００２７】
図８に示されているＴは、ＩＣタグホルダーＣ１に形成されたＩＣタグ収容箱Ｂに嵌合可能なＩＣタグであり、ＩＣチップやアンテナや電源電池等が収容されている。本実施例においては、ＩＣタグＴは、箱型に形成されている。ＩＣタグＴを、ＩＣタグホルダーＣ１に形成されたＩＣタグ収容箱Ｂの開口部ｂ１から挿入すると、ＩＣタグＴは、ＩＣタグ収容箱Ｂの天板ｂ２に形成された上部水平係止片ｂ４の係止突条ｂ４ａに当接し、上部水平係止片ｂ４を上方に弾性変形させながら、また、ＩＣタグ収容箱Ｂの底板ｂ５に形成された下部水平係止片ｂ６の係止突条ｂ６ａに当接し、下部水平係止片ｂ６を下方に弾性変形させながら、ＩＣタグ収容箱Ｂに収容され、ＩＣタグＴのＩＣタグ収容箱Ｂへの収容終了時には、図９に示されているように、ＩＣタグＴの天板ｔ１が、上部水平係止片ｂ４の係止突条ｂ４ａから外れ、上部水平係止片ｂ４の弾性復元力により、係止突条ｂ４ａが、ＩＣタグＴの前壁ｔ２の上端角部付近に係合し、同時に、ＩＣタグＴの底板ｂ５が、下部水平係止片ｂ６の係止突条ｂ６ａから外れ、下部水平係止片ｂ６の弾性復元力により、下部水平係止片ｂ６の係止突条ｂ６ａが、ＩＣタグＴの前壁ｔ２の下端角部付近に係合し、ＩＣタグＴが、簡単には、ＩＣタグホルダーＣ１に形成されたＩＣタグ収容箱Ｂから排出しないように構成されている。
【００２８】
次に、図１０〜図１４を用いて、合成樹脂製パレットＰを構成する上部デッキ側交叉梁領域１Ａ及び下部デッキ側交叉梁領域２ＡへのＩＣタグＴが収容されたＩＣタグホルダーＣ１の取り付けについて説明する。
【００２９】
先ず最初に、図１０に示されているように、略直交するように互いに交叉する交叉梁１ａ、１ｂにより構成された上部デッキ側交叉梁領域１Ａに、板材６ａ、６ｂ、６ｃ、６ｄからなる下部矢羽根部６を挿入するとともに、捩じれ板材７ａ、７ｂ、７ｃ、７ｄの一方の相対する捩じれ板材７ａ、７ｃの下端７ａ１、７ｃ１が、上記の正方形領域の２本の対角線のうちの一方の対角線上に位置するように、また、捩じれ板材７ａ、７ｂ、７ｃ、７ｄのもう一方の相対する捩じれ板材７ｂ、７ｄの下端７ｂ１、７ｄ１が、上記の正方形領域の２本の対角線のうちのもう一方の対角線上に位置するように、ＩＣタグホルダーＣ１を、上部デッキ１の上方に配置する。
【００３０】
その後、ＩＣタグホルダーＣ１を、上部デッキ１に形成されている上部デッキ側交叉梁領域１Ａ内を、自重により、或いは、作業者が下方に押すことにより、下降させると、図１１に示されているように、ＩＣタグホルダーＣ１を構成する捩じれ板材７ａ、７ｂ、７ｃ、７ｄの先端が、上部デッキ側交叉梁領域１Ａを構成する交叉梁１ａ、１ｂに当接し、ＩＣタグホルダーＣ１が旋回しながら下降し、図１２に示されているように、下部矢羽根部６を構成する板材６ａ、６ｂ、６ｃ、６ｄが、略直交するように互いに交叉する交叉梁２ａ、２ｂにより構成された下部デッキ側交叉梁領域２Ａ内に嵌合されるとともに、捩じれ板材７ａ、７ｂ、７ｃ、７ｄの下端７ａ１、７ｂ１、７ｃ１、７ｄ１が、下部デッキ側交叉梁領域２Ａを構成する交叉梁２ａ、２ｂの上端２ａ１、２ｂ１に当接し載置されるように構成されている。
【００３１】
上述したように、捩じれ板材７ａ、７ｂ、７ｃ、７ｄの下端７ａ１、７ｂ１、７ｃ１、７ｄ１が、下部デッキ２を構成する交叉梁２ａ、２ｂの上端２ａ１、２ｂ１に当接し載置された際には、係止突片８ａの上部垂直端部８ａ１と該上部垂直端部８ａ１と１８０度ずれて配置されている係止突片８ｃの上部垂直端部８ｃ１が、上部デッキ側交叉梁領域１Ａを構成する相対する交叉梁１ａ、１ａと相対する交叉梁１ｂ、１ｂとにより囲まれた正方形領域の２本の対角線のうちの一方の対角線上に位置し、また、係止突片８ｂの上部垂直端部８ｂ１と該上部垂直端部８ｂ１と１８０度ずれて配置されている係止突片８ｄの上部垂直端部８ｄ１が、上部デッキ側交叉梁領域１Ａを構成する相対する交叉梁１ａ、１ａと相対する交叉梁１ｂ、１ｂとにより囲まれた正方形領域の２本の対角線のうちのもう一方の対角線上に位置するように構成されているとともに、係止突片８ａ、８ｂ、８ｃ、８ｄの上端８ａ３、８ｂ３、８ｃ３、８ｄ３が、上部デッキ１を構成する交叉梁１ａ、１ｂの下端１ａ１、１ｂ１と略同じ高さに位置するように構成されている。また、略直交するように互いに交叉する交叉梁２ａ、２ｂにより構成された下部デッキ側交叉梁領域２Ａ内に、下部矢羽根部６を構成する板材６ａ、６ｂ、６ｃ、６ｄが嵌合された際には、平面的に見て、板材６ａ、６ｂ、６ｃ、６ｄが、下部デッキ２を構成する交叉梁２ａ、２ｂに対して、略垂直に位置するとともに、板材６ａ、６ｂ、６ｃ、６ｄの垂直先端６ａ１、６ｂ１、６ｃ１、６ｄ１が、下部デッキ２を構成する交叉梁２ａ、２ｂに当接、或いは、接近して位置するように構成されている。
【００３２】
その後、作業者が、ＩＣタグホルダーＣ１を、平面的に回転させると、図１３に示されているように、上部デッキ側交叉梁領域１Ａを構成する相対する交叉梁１ａ、１ａと相対する交叉梁１ｂ、１ｂとにより囲まれた正方形領域の対角線上に位置していた係止突片８ａ、８ｂ、８ｃ、８ｄの上部垂直端部８ａ１、８ｂ１、８ｃ１、８ｄ１が、上部デッキ１を構成する交叉梁１ａ、１ｂの下端１ａ１、１ｂ１に入り込むと同時に、下部デッキ２を構成する交叉梁２ａ、２ｂに当接、或いは、接近して位置している下部矢羽根部６を構成する板材６ａ、６ｂ、６ｃ、６ｄの垂直先端６ａ１、６ｂ１、６ｃ１、６ｄ１が、図１４に示されているように、下部デッキ側交叉梁領域２Ａを構成する交叉梁２ａ、２ｂを外側に湾曲変形させて、下部矢羽根部６を構成する板材６ａ、６ｂ、６ｃ、６ｄの垂直先端６ａ１、６ｂ１、６ｃ１、６ｄ１が、湾曲した下部デッキ２を構成する交叉梁２ａ、２ｂの略中央部に位置するように構成されている。
【００３３】
なお、上述実施例には、ＩＣタグホルダーＣ１を、平面的に回転させることにより、下部デッキ２を構成する交叉梁２ａ、２ｂに当接、或いは、接近して位置している下部矢羽根部６を構成する板材６ａ、６ｂ、６ｃ、６ｄの垂直先端６ａ１、６ｂ１、６ｃ１、６ｄ１が、図１４に示されているように、下部デッキ側交叉梁領域２Ａを構成する交叉梁２ａ、２ｂを外側に湾曲変形させるようにした例が示されているが、下部矢羽根部６を構成する板材６ａ、６ｂ、６ｃ、６ｄを弾性変形可能に構成し、交叉梁２ａ、２ｂを変形させる代わりに、板材６ａ、６ｂ、６ｃ、６ｄを弾性変形させることもできる。
【００３４】
上述したように、上部デッキ側交叉梁領域１Ａを構成する相対する交叉梁１ａ、１ａと相対する交叉梁１ｂ、１ｂとにより囲まれた正方形領域の対角線上に位置していた係止突片８ａ、８ｂ、８ｃ、８ｄの上部垂直端部８ａ１、８ｂ１、８ｃ１、８ｄ１が、上部デッキ１を構成する交叉梁１ａ、１ｂの下端１ａ１、１ｂ１に入り込むように構成されているので、ＩＣタグホルダーＣ１が、上方に移動するようなことがなく、また、下部矢羽根部６を構成する板材６ａ、６ｂ、６ｃ、６ｄの垂直先端６ａ１、６ｂ１、６ｃ１、６ｄ１が、下部デッキ側交叉梁領域２Ａを構成する湾曲した交叉梁２ａ、２ｂの略中央部に位置するように構成されているので、ＩＣタグホルダーＣ１が回動するようなことがなく、安定した状態を維持することができ、更に、捩じれ板材７ａ、７ｂ、７ｃ、７ｄの下端７ａ１、７ｂ１、７ｃ１、７ｄ１が、下部デッキ側交叉梁領域２Ａを構成する交叉梁２ａ、２ｂの上端２ａ１、２ｂ１に当接し載置されるように構成されているので、ＩＣタグホルダーＣ１が、下方に移動するようなことがないので、ＩＣタグホルダーＣ１を、合成樹脂製パレットＰに、安定した状態で取り付けることができる。更にまた、上部矢羽根部５を構成する板材５ａ、５ｂ、５ｃ、５ｄの垂直先端５ａ１、５ｂ１、５ｃ１、５ｄ１が、上部デッキ側交叉梁領域１Ａを構成する相対する交叉梁１ａ、１ａと相対する交叉梁１ｂ、１ｂとにより囲まれた正方形領域の隅部に位置するように構成されているので、下部矢羽根部６を構成する板材６ａ、６ｂ、６ｃ、６ｄの垂直先端６ａ１、６ｂ１、６ｃ１、６ｄ１が、下部デッキ側交叉梁領域２Ａを構成する湾曲した交叉梁２ａ、２ｂの略中央部に位置するように構成されている点と相まって、ＩＣタグホルダーＣ１が、平面的に見て、回動するようなことを防止することができる。
【００３５】
上述したように、ＩＣタグホルダーＣ１の合成樹脂製パレットＰへの取り付けの際に、ＩＣタグホルダーを下降させると、ＩＣタグホルダーＣ１を構成する捩じれ板材７ａ、７ｂ、７ｃ、７ｄの先端が、上部デッキ側交叉梁領域１Ａを構成する相対する交叉梁１ａ、１ａに当接し、ＩＣタグホルダーＣ１が旋回しながら下降し、合成樹脂製パレットＰに取り付けられるように構成されているので、ＩＣタグホルダーＣ１が、上記の旋回方向とは逆に旋回しない限りは、ＩＣタグホルダーＣ１が、合成樹脂製パレットＰから外れるようなことがない。従って、ＩＣタグホルダーＣ１が、合成樹脂製パレットＰから、不用意に外れるようなことを防止することができる。
【００３６】
上述したように、ＩＣタグホルダーＣ１が、合成樹脂製パレットＰに取り付けられた際には、ＩＣタグホルダーＣ１の上下動や回動が制限されるように構成されているので、リーダー・ライターによるＩＣタグＴの情報の読み取りや、リーダー・ライターによるＩＣタグＴへの情報の書き込みに、ミスが生じるようなことを防止することができる。
【００３７】
更に、ＩＣタグＴが収容されるＩＣタグホルダーＣ１のＩＣタグ収容箱Ｂが、ＩＣタグホルダーＣ１の上下方向の中央に取着されているとともに、ＩＣタグホルダーＣ１が、合成樹脂製パレットＰに取り付けられた際には、ＩＣタグホルダーＣ１が、上部デッキ１と下部デッキ２との間の上下方向の中央に位置するように構成されている。従って、合成樹脂製パレットＰに載置される物品が、金属製であったり、磁気を有する場合であっても、ＩＣタグホルダーＣ１に収容されているＩＣタグＴが、上部デッキや下部デッキに配設された場合に較べて、物品から離れた位置にあるので、ＩＣタグＴが、合成樹脂製パレットＰに載置された物品に影響されて、リーダー・ライターによる情報の読み書きに、ミスが生じるようなことを防止することができる。
【００３８】
更にまた、ＩＣタグホルダーＣ１が、合成樹脂製パレットＰに取り付けられた際には、ＩＣタグホルダーＣ１が、合成樹脂製パレットＰの上部デッキ１と下部デッキ２との間の上下方向の中央に配置するように構成されているので、水平状態の空の合成樹脂製パレットＰを段積みしたり、或いは、垂直状態の空の合成樹脂製パレットＰを並設した際に、隣接した空の合成樹脂製パレットＰに取り付けられたＩＣタグＴが、接近して位置するようなことがないので、ＩＣタグＴが、接近して位置するＩＣタグＴに影響されて、リーダー・ライターによる情報の読み書きに、ミスが生じるようなことを防止することができる。
【００３９】
上述したように、上部デッキ１に、互いに交叉する交叉梁１ａ、１ｂにより構成された上部デッキ側交叉梁領域１Ａが形成されているとともに、下部デッキ２にも、互いに交叉する交叉梁２ａ、２ｂにより構成された下部デッキ側交叉梁領域２Ａが形成されている合成樹脂製パレットＰであれば、合成樹脂製パレットＰに、何ら、加工を施すようなことなく、既存の合成樹脂製パレットＰに、ＩＣタグホルダーＣ１を取り付けることができる。
【００４０】
上述したＩＣタグホルダーＣ１は、上部デッキ１に、互いに交叉する交叉梁１ａ、１ｂにより構成された上部デッキ側交叉梁領域１Ａが形成されているとともに、下部デッキ２にも、互いに交叉する交叉梁２ａ、２ｂにより構成された下部デッキ側交叉梁領域２Ａが形成されている合成樹脂製パレットＰであれば、上部デッキ１に物品が載置可能であるとともに、下部デッキ２にも物品が載置可能な、所謂、両面使用可能な合成樹脂製パレットＰに取り付けることも、また、上部デッキ１にのみ、物品が載置可能である、所謂、片面使用の合成樹脂製パレットＰに取り付けることもできる。
【００４１】
なお、ＩＣタグホルダーＣ１が取り付けられる、略直交するように互いに交叉する交叉梁１ａ、１ｂにより構成された上部デッキ側交叉梁領域１Ａと略直交するように互いに交叉する交叉梁２ａ、２ｂにより構成された下部デッキ側交叉梁領域２Ａが、合成樹脂製パレットＰの略中央部に形成されている場合には、このような合成樹脂製パレットＰの略中央部に形成されている上部デッキ側交叉梁領域１Ａ下部デッキ側交叉梁領域２Ａに、ＩＣタグホルダーＣ１が取り付けることが好ましい。このように構成することにより、合成樹脂製パレットＰに対して、どの位置に、リーダー・ライターが配設されていても、ＩＣタグホルダーＣ１とリーダー・ライターとの距離が、略同じであるので、リーダー・ライターによる情報の読み書きに、ミスが生じるようなことを防止することができる。
【００４２】
次に、図１５〜図１７を用いて、本発明の別の実施例のＩＣタグホルダーＣ2 について説明する。
【００４３】
本実施例においては、上述した実施例における係止突片８ａ、８ｂ、８ｃ、８ｄに代えて、上部矢羽根部５を構成する板材５ａ、５ｂ、５ｃ、５ｄの垂直先端５ａ１、５ｂ１、５ｃ１、５ｄ１から、水平方向に延在する水平部ｓ２ａと水平部ｓ２ａの先端から下方に延在する垂直部ｓ２ｂとからなる略逆Ｌ字状のスリットｓ２を形成するとともに、板材５ａ、５ｂ、５ｃ、５ｄの垂直先端５ａ１、５ｂ１、５ｃ１、５ｄ１から外側に突出した係止突片Ｈ１を形成したものである。このような略逆Ｌ字状のスリットｓ２を形成することにより、係止突片Ｈ１は、スリットｓ２の垂直部ｓ２ｂ方向に弾性変形可能なように構成されている。
【００４４】
係止突片Ｈ１は、スリットｓ２の水平部ｓ２ａに沿った水平上辺ｈ１と、スリットｓ２の垂直部ｓ２ｂに沿った垂直辺ｈ２と、水平上辺ｈ１の先端から捩じれ板材７ａ、７ｂ、７ｃ、７ｄの先端に向かって傾斜した傾斜辺ｈ３とを有している。
【００４５】
次に、ＩＣタグホルダーＣ2 の合成樹脂製パレットＰへの取り付けについて説明する。
【００４６】
上述実施例と同様に、先ず最初に、上部デッキ１を構成する互いに交叉する交叉梁１ａ、１ｂにより構成された上部デッキ側交叉梁領域１Ａに、板材６ａ、６ｂ、６ｃ、６ｄからなる下部矢羽根部６を挿入するとともに、捩じれ板材７ａ、７ｂ、７ｃ、７ｄの一方の相対する捩じれ板材７ａ、７ｃの下端７ａ１、７ｃ１が、上部デッキ側交叉梁領域１Ａの２本の対角線のうちの一方の対角線上に位置するように、また、捩じれ板材７ａ、７ｂ、７ｃ、７ｄのもう一方の相対する捩じれ板材７ｂ、７ｄの下端７ｂ１、７ｄ１が、上部デッキ側交叉梁領域１Ａの２本の対角線のうちのもう一方の対角線上に位置するように、ＩＣタグホルダーＣ２を、上部デッキ１の上方に配置する。
【００４７】
その後、ＩＣタグホルダーＣ２を、上部デッキ１を構成する互いに交叉する交叉梁１ａ、１ｂにより構成された上部デッキ側交叉梁領域１Ａ内を、自重により、或いは、作業者が下方に押すことにより、下降させると、ＩＣタグホルダーＣ２を構成する捩じれ板材７ａ、７ｂ、７ｃ、７ｄの先端が、上部デッキ１を構成する交叉梁１ａ、１ｂに当接し、ＩＣタグホルダーＣ２が旋回しながら下降し、下部矢羽根部６を構成する板材６ａ、６ｂ、６ｃ、６ｄが、下部デッキ２を構成する互いに交叉する交叉梁２ａ、２ｂにより構成された下部デッキ側交叉梁領域２Ａ内に嵌合されることになるが、下部矢羽根部６の下部デッキ側交叉梁領域２Ａ内への嵌合と前後して、係止突片Ｈ１の傾斜辺ｈ３が、上部デッキ側交叉梁領域１Ａの四隅付近に位置する交叉梁１ａ、１ｂに当接することになる。この状態から、ＩＣタグホルダーＣ２を強制的に下降させると、係止突片Ｈ１が、スリットｓ２の垂直部ｓ２ｂ方向に弾性変形することなり、係止突片Ｈ１が、上部デッキ側交叉梁領域１Ａを形成する交叉梁１ａ、１ｂを通過することができ、係止突片Ｈ１が、上部デッキ側交叉梁領域１Ａを形成する交叉梁１ａ、１ｂを通過した時点で、係止突片Ｈ１が、その弾性復元力により、スリットｓ２の垂直部ｓ２ｂ方向と反対方向に戻り、係止突片Ｈ１の水平上辺ｈ１が、上部デッキ側交叉梁領域１Ａの四隅付近に位置する交叉梁１ａ、１ｂの下端１ａ１、１ｂ１に当接、或いは、接近し、係止突片Ｈ１が、交叉梁１ａ、１ｂに係止されることになる。係止突片Ｈ１が、交叉梁１ａ、１ｂに係止された際には、下部矢羽根部６を構成する板材６ａ、６ｂ、６ｃ、６ｄが、下部デッキ側交叉梁領域２Ａ内に嵌合されるとともに、捩じれ板材７ａ、７ｂ、７ｃ、７ｄの下端７ａ１、７ｂ１、７ｃ１、７ｄ１が、下部デッキ２を構成する交叉梁２ａ、２ｂの上端２ａ１、２ｂ１に当接し載置されるように構成されている。
【００４８】
上述したように、係止突片Ｈ１が、上部デッキ１を構成する交叉梁１ａ、１ｂに係止されるとともに、捩じれ板材７ａ、７ｂ、７ｃ、７ｄの下端７ａ１、７ｂ１、７ｃ１、７ｄ１が、下部デッキ２を構成する交叉梁２ａ、２ｂの上端２ａ１、２ｂ１に当接し載置されるように構成されており、且つ、上部矢羽根部５を構成する板材５ａ、５ｂ、５ｃ、５ｄの垂直先端５ａ１、５ｂ１、５ｃ１、５ｄ１が、上部デッキ側交叉梁領域１Ａを構成する相対する交叉梁１ａ、１ａと相対する交叉梁１ｂ、１ｂとにより囲まれた正方形領域の隅部に位置するように構成されているので、ＩＣタグホルダーＣ２が、合成樹脂製パレットＰに取り付けられた際には、ＩＣタグホルダーＣ２の上下動や回動が制限されることになる。従って、ＩＣタグＴが、合成樹脂製パレットＰに載置された物品に影響されて、リーダー・ライターによるＩＣタグＴの情報の読み取りや、リーダー・ライターによるＩＣタグＴへの情報の書き込みに、ミスが生じるようなことを防止することができる。
【００４９】
また、面一に形成された２枚の相対する板材５ａ、５ｃの垂直端５ａ１、５ｃ１間の間隔（板材５ａ、５ｂ、５ｃ、５ｄの長さＬ１の２倍）及び面一に形成された２枚の相対する板材５ｂ、５ｄの垂直端５ｂ１、５ｄ１間の間隔（板材５ａ、５ｂ、５ｃ、５ｄの長さＬ１の２倍）を、上部デッキ側交叉梁領域１Ａを構成する相対する交叉梁１ａ、１ａと相対する交叉梁１ｂ、１ｂとにより囲まれた正方形領域の対角線の長さＷ５と同じか、若干、短く形成することにより、板材５ａ、５ｂ、５ｃ、５ｄの垂直端５ａ１、５ｂ１、５ｃ１、５ｄ１が、上部デッキ側交叉梁領域１Ａを構成する相対する交叉梁１ａ、１ａと相対する交叉梁１ｂ、１ｂとにより囲まれた正方形領域の隅部に近接することになるので、ＩＣタグホルダーＣ２の回動を阻止することができる。このような構成により、ＩＣタグホルダーＣ２の回動が阻止できるので、上述した実施例のように、下部矢羽根部６を構成する板材６ａ、６ｂ、６ｃ、６ｄが、図１４に示されているように、下部デッキ側交叉梁領域２Ａを構成する交叉梁２ａ、２ｂを外側に湾曲変形させて、ＩＣタグホルダーＣ１の回動を阻止するに構成する必要がないので、下部矢羽根部６を構成する板材６ａ、６ｂ、６ｃ、６ｄの長さＬ２を、下部デッキ側交叉梁領域２Ａを構成する互いに平行な一方の交叉梁２ａ、２ａ間の内幅Ｗ３の半分より、短くすることもできる。
【００５０】
上述した実施例には、スリットｓ２を形成することにより、係止突片Ｈ１が弾性変形するように構成されているが、係止突片Ｈ１自体を弾性変形可能な材質により形成することにより、スリットｓ２を省略することができる。
【００５１】
なお、ＩＣタグホルダーＣ１、Ｃ２が取り付けられる、略直交するように互いに交叉する交叉梁１ａ、１ｂにより構成された上部デッキ側交叉梁領域１Ａと略直交するように互いに交叉する交叉梁２ａ、２ｂにより構成された下部デッキ側交叉梁領域２Ａが、合成樹脂製パレットＰの略中央部に形成されている場合には、このような合成樹脂製パレットＰの略中央部に形成されている上部デッキ側交叉梁領域１Ａ下部デッキ側交叉梁領域２Ａに、ＩＣタグホルダーＣ１、Ｃ２が取り付けることが好ましい。このように構成することにより、合成樹脂製パレットＰに対して、どの位置に、リーダー・ライターが配設されていても、ＩＣタグホルダーＣ１、Ｃ２とリーダー・ライターとの距離が、略同じであるので、リーダー・ライターによる情報の読み書きに、ミスが生じるようなことを防止することができる。
【００５２】
図８に示されているように、係止突片８ａ、８ｂ、８ｃ、８ｄの上端８ａ３、８ｂ３、８ｃ３、８ｄ３と上部矢羽根部５を構成する板材５ａ、５ｂ、５ｃ、５ｄの上端５ａ３、５ｂ３、５ｃ３、５ｄ３との距離Ｌ４は、上部デッキ側交叉梁領域１Ａを形成する交叉梁１ａ、１ｂの高さと同じか、それより、短く形成されており、また、下部矢羽根部６を構成する板材６ａ、６ｂ、６ｃ、６ｄの高さＬ５は、下部デッキ側交叉梁領域２Ａを形成する交叉梁２ａ、２ｂの高さと同じか、それより、短く形成されている。このように構成することにより、上部矢羽根部５が、上部デッキ１を越えて、上方に突出することがなく、また、下部矢羽根部６が、下部デッキ２を越えて、下方に突出することない。また、係止突片８ａ、８ｂ、８ｃ、８ｄの上端８ａ３、８ｂ３、８ｃ３、８ｄ３と上部矢羽根部５を構成する板材５ａ、５ｂ、５ｃ、５ｄの上端５ａ３、５ｂ３、５ｃ３、５ｄ３との距離Ｌ４と下部矢羽根部６を構成する板材６ａ、６ｂ、６ｃ、６ｄの高さＬ５とは、略同じに形成されている。
【００５３】
なお、上述した実施例には、箱型に形成されたＩＣタグＴに対応して、ＩＣタグホルダーＣ１、Ｃ２に形成されたＩＣタグ収容箱Ｂが箱型に形成されている例が示されているが、ＩＣタグＴの形状は、箱型以外の種々の形状とすることができ、また、このようなＩＣタグＴの形状に対応して、ＩＣタグ収容箱Ｂの形状を、適宜、変更することができる。
【００５４】
上述した実施例には、上部デッキ１に形成されている上部デッキ側交叉梁領域１Ａの互いに平行な一方の交叉梁１ａ、１ａ間の内幅Ｗ１と、一方の交叉梁１ａ、１ａに直交するとともに、互いに平行なもう一方の交叉梁１ｂ、１ｂ間の内幅Ｗ２とが、略同じ幅に形成されている例が示されているが、換言すれば、一方の交叉梁１ａ、１ａ間の内幅Ｗ１ともう一方の交叉梁１ｂ、１ｂ間の内幅Ｗ２とを、異なる内幅とすることもできる。即ち、上部デッキ側交叉梁領域１Ａの平面形状が、正方形ではなく、長方形とすることもできる。同様に、下部デッキ２に形成されている下部デッキ側交叉梁領域２Ａの互いに平行な一方の交叉梁２ａ、２ａ間の内幅と、一方の交叉梁２ａ、２ａに直交するとともに、互いに平行なもう一方の交叉梁２ｂ、２ｂ間の内幅とが、略同じ幅に形成することなく、異なる内幅とすることもできる。即ち、下部デッキ側交叉梁領域２Ａの平面形状が、正方形ではなく、長方形とすることもできる。
【００５５】
また、上述ＩＣタグホルダーＣ１、Ｃ２は、射出成形等により、合成樹脂で一体に成形することが好ましい。
【図面の簡単な説明】
【００５６】
【図１】図１は、ＩＣタグホルダーが取り付けられる一例としてのパレットの斜視図である。
【図２】図２は、図１に示されているパレットの部分拡大斜視図である。
【図３】図３は、本発明のパレットへのＩＣタグホルダー取り付け機構を構成するＩＣタグホルダーの斜視図である。
【図４】図４は、同じく本発明のパレットへのＩＣタグホルダー取り付け機構を構成するＩＣタグホルダーの斜視図である。
【図５】図５は、本発明のパレットへのＩＣタグホルダー取り付け機構を構成するＩＣタグホルダーの平面図である。
【図６】図６は、本発明のパレットへのＩＣタグホルダー取り付け機構を構成するＩＣタグホルダーの裏面図である。
【図７】図７は、同じく本発明のパレットへのＩＣタグホルダー取り付け機構を構成するＩＣタグホルダーの裏面図である。
【図８】図８は、本発明のパレットへのＩＣタグホルダー取り付け機構を構成するＩＣタグホルダーとＩＣタグの斜視図である。
【図９】図９は、本発明のパレットへのＩＣタグホルダー取り付け機構を構成するＩＣタグホルダーにＩＣタグが収容された状態の斜視図である。
【図１０】図１０は、本発明のパレットへのＩＣタグホルダー取り付け機構を構成するＩＣタグホルダーのパレットへの取り付けを説明するための斜視図である。
【図１１】図１１は、同じく本発明のパレットへのＩＣタグホルダー取り付け機構を構成するＩＣタグホルダーのパレットへの取り付けを説明するための斜視図である。
【図１２】図１２は、同じく本発明のパレットへのＩＣタグホルダー取り付け機構を構成するＩＣタグホルダーのパレットへの取り付けを説明するための一部断面を含む斜視図である。
【図１３】図１３は、本発明のパレットへのＩＣタグホルダー取り付け機構を構成するＩＣタグホルダーがパレットに取り付けられた状態の一部断面を含む斜視図である。
【図１４】図１４は、本発明のパレットへのＩＣタグホルダー取り付け機構を構成するＩＣタグホルダーがパレットに取り付けられた状態の模式的な部分裏面図である。
【図１５】図１５は、本発明のパレットへのＩＣタグホルダー取り付け機構を構成する別の実施例のＩＣタグホルダーの斜視図である。
【図１６】図１６は、図１５に示されている別の実施例のＩＣタグホルダーの平面図である。
【図１７】図１７は、図１５に示されている別の実施例のＩＣタグホルダーがパレットに取り付けられた状態の一部断面を含む斜視図である。
【符号の説明】
【００５７】
Ｂ・・・・・・・・・・・・・・・・ＩＣタグ収容箱
Ｃ１、Ｃ２・・・・・・・・・・・・ＩＣタグホルダー
Ｈ１・・・・・・・・・・・・・・・係止突片
Ｐ・・・・・・・・・・・・・・・・パレット
Ｔ・・・・・・・・・・・・・・・・ＩＣタグ
１・・・・・・・・・・・・・・・・上部デッキ
１Ａ・・・・・・・・・・・・・・・上部デッキ側交叉梁領域
２・・・・・・・・・・・・・・・・下部デッキ
２Ａ・・・・・・・・・・・・・・・下部デッキ側交叉梁領域
５・・・・・・・・・・・・・・・・上部矢羽根部
５ａ、５ｂ、５ｃ、５ｄ・・・・・・板材
６・・・・・・・・・・・・・・・・上部矢羽根部
６ａ、６ｂ、６ｃ、６ｄ・・・・・・板材
７ａ、７ｂ、７ｃ、７ｄ・・・・・・捩じれ板材
８ａ、８ｂ、８ｃ、８ｄ・・・・・・係止突片
【図１】
0004652269.tif 000002
【図２】
0004652269.tif 000003
【図３】
0004652269.tif 000004
【図４】
0004652269.tif 000005
【図５】
0004652269.tif 000006
【図６】
0004652269.tif 000007
【図７】
0004652269.tif 000008
【図８】
0004652269.tif 000009
【図９】
0004652269.tif 000010
【図１０】
0004652269.tif 000011
【図１１】
0004652269.tif 000012
【図１２】
0004652269.tif 000013
【図１３】
0004652269.tif 000014
【図１４】
0004652269.tif 000015
【図１５】
0004652269.tif 000016
【図１６】
0004652269.tif 000017
【図１７】
0004652269.tif 000018